(57)【要約】【課題】  シャッター開閉の監視及びその解除状態を人為的に切り換える必要がなく、監視解除状態でシャッターが開状態でかつ開閉手段が閉状態であっても異常状態であると判断されることがないシャッター開閉自動監視装置を提供する。【解決手段】  第１センサ１１として、第１マグネット１１ａをシャッター１０５に設け、第１磁気検知素子１１ｂをシャッター１０５の開動作開始で第１マグネット１１ａの磁界を検知する位置に配置し、第２センサ１２をマグネット１２ａ，１２ｃと磁気検知素子１２ｂ，１２ｄとからなる一つ以上の対で構成し、磁気検知素子１２ｂ，１２ｄを引戸１０５の閉状態でマグネット１２ａ，１２ｃの磁界が検知できる位置に配置し、第１及び第２センサ１１，１２の検出結果に応じてシャッター開閉の監視状態及びその解除状態を自動制御できる制御部１３をセンサユニット１４内に設ける。【選択図】  図１
2006045862.tif 000002
【特許請求の範囲】
【請求項１】
開口部の外側に設けらるシャッターの開閉状態を検知する第１センサと、
上記開口部を開閉する開閉手段の開閉状態を検知する第２センサと、
制御部と、を備え、
上記開閉手段の閉状態を上記第２センサが検知し、かつ、上記シャッターの閉状態を上記第１センサが検知したときに、上記制御部が、上記第１センサによる上記シャッター開閉状態の自動監視状態に設定し、
上記シャッター開閉自動監視状態において、上記第２センサが上記開閉手段の開状態を検知したときに、上記制御部が、上記シャッター開閉自動監視状態を解除し、シャッター開閉監視解除状態に移行させることを特徴とする、シャッター開閉自動監視装置。
【請求項２】
前記第１センサは、前記シャッターが閉状態ではオフ状態であり、前記シャッターが閉状態から開状態となる開動作をするときにオン状態となる機能を備え、
前記第２センサは、前記開閉手段が開状態ではオフ状態であり、前記開閉手段が開状態から閉状態となるときにオン状態となる機能を備えることを特徴とする、請求項１に記載のシャッター開閉自動監視装置。
【請求項３】
前記制御部は、
前記第１センサのスイッチ機能によるスイッチと、
前記第２センサのスイッチ機能によるスイッチと、
リレー手段と、
上記リレー手段への通電によりオフ状態からオン状態に遷移してオン状態を維持するリレー手段接点と、
上記リレー手段接点のオン状態をオフ状態に解除するリセットスイッチと、
電源と、を含み、
上記第１センサのスイッチと上記第２センサのスイッチとの直列接続が、上記リレー接点と上記リセットスイッチとの直列接続に対して並列接続され、
上記並列接続の一端が上記リレー手段の一端に接続され、
上記並列接続の他端が上記電源の一端に接続され、
上記リレー手段の他端が上記電源の他端に接続される回路構成を有していることを特徴とする、請求項１又は２に記載のシャッター開閉自動監視装置。
【請求項４】
さらに、前記制御部が前記シャッター開閉自動監視状態で前記第１センサにより前記シャッターの開状態を検知したときに警報を発報する警報手段を備えることを特徴とする、請求項１〜３の何れかに記載のシャッター開閉自動監視装置。
【請求項５】
前記警報手段が、前記リレー手段に並列接続されていることを特徴とする、請求項４に記載のシャッター開閉自動監視装置。
【請求項６】
前記第１センサは、マグネットと磁気検知素子とからなる対を少なくとも１対以上含む磁気検出センサであり、該磁気検知素子が、シャッターの閉状態で上記マグネットの磁界を検知せず、上記シャッターの開動作で上記マグネットの磁界を検知する位置に配置されることを特徴とする、請求項１〜４の何れかに記載のシャッター開閉自動監視装置。
【請求項７】
前記第２センサは、マグネットと磁気検知素子とからなる対を少なくとも１対以上含む磁気検出センサであり、上記磁気検知素子が、前記開閉手段の閉状態で上記マグネットの磁界を検知する位置に配置されることを特徴とする、請求項１〜４の何れかに記載のシャッター開閉自動監視装置。
【請求項８】
前記マグネットが前記開閉手段側に配置され、前記磁気検知素子は前記開閉手段の外側に配置されることを特徴とする、請求項７に記載のシャッター開閉自動監視装置。
【請求項９】
前記マグネットが前記開閉手段側に配置され、前記マグネットと対となる前記磁気検知素子が前記開閉手段の前記マグネットとは異なる位置に設けられたセンサユニット内に配置され、前記開閉部の閉状態で、前記第２センサの前記マグネットの磁界が前記磁気検知素子で検知されるように、前記マグネットと前記磁気検知素子とがそれぞれ配置されていることを特徴とする、請求項７に記載のシャッター開閉自動監視装置。
【発明の詳細な説明】
【技術分野】
【０００１】
本発明は、シャッター開閉の監視状態と監視解除状態とを自動で切り換えることができるシャッター開閉自動監視装置に関する。
【背景技術】
【０００２】
店舗や住宅の入り口の扉や窓などの外側には、防犯用のためにシャッターが配設されている。防犯用のシャッターには、「外部からのこじ開け」などを監視するために、シャッターが無理矢理開けられないようにするための警告装置が知られている（特許文献１参照）。そして、シャッターの開閉を検知するために磁気検出型センサや反射光検出型センサなどの監視用センサが使用されている。
【０００３】
図７は従来のシャッター開閉監視用センサの取付形態を示す断面図である。シャッター１０５が引戸１０２の外に配設され、引戸１０２は建物の開口部を構成する基台１０１上のレール１０３に載置されている。シャッターの下枠１０５ａにはマグネット１０６が内蔵され、凸部１０４上にはシャッター１０５の引き戸側に、磁気検知素子１０７を内蔵したセンサ側ユニット１０８が配置されている。このため、シャッター１０５の全閉状態では、マグネット１０６による磁界を磁気検知素子１０７が検知し、シャッター１０５を上方に開けると、磁気検知素子１０７がマグネット１０６の磁界を検知しなくなる。ここで、磁気検出型センサとしては、上記のようにマグネットと各種の磁気検知素子とを組み合わせたタイプの他、マグネットとリードスイッチとを組み合わせたタイプがある。
【０００４】
一方、反射光検出型センサにおいては、シャッターの内側に反射シートなどを貼り付け、反射シートに対して近赤外光を照射しておき、反射シートからの反射光の変化を検出器で検出することにより、シャッターの開閉移動が検知される。
【０００５】
従来の窓シャッター開閉監視装置では、監視用センサからの信号を受信する受信機によって、又は警備モードをセットするスイッチ機能を有したチェックボックス等によって、監視する状態（以下、「監視状態」という。）と、監視を行わない状態（以下、「解除状態」という。）とを人為的に切り換えることを前提としている。そして、監視状態にセットされることで、初めて受信機側は監視用センサからの信号を有効なものとして判定を行い、異常を認めると警報を発するように制御されている。このように、従来のセンサ側ユニットでは、それ単体だけで監視警報機能を有するものは知られていなかった。
【０００６】
【特許文献１】特開２００３−１２０１５３号公報
【発明の開示】
【発明が解決しようとする課題】
【０００７】
従来の窓シャッター開閉監視装置では、例えば窓シャッターにシャッターの開閉を検知するセンサが取り付けられている環境の住宅において、住居者が不用意にも解除状態へ切り換えるのを忘れて、窓シャッターを開けた場合、センサが警報を発してしまうなどの不都合が発生する。このため、図７のようにシャッター開閉監視用センサを配備するだけでなく、このセンサからの信号が有効なものか否かを判断する必要がある。
【０００８】
ところで、実際の建物の構造として、シャッターの内側には窓があり、窓にはアルミサッシ硝子戸等の引戸が存在するのが一般的である。通常、居住者はこの窓部の引戸を開けてシャッターを開閉することになるが、侵入者は外側からシャッターをこじ開ける手段しか有しておらず、シャッターの内側に存在する窓部の引戸を最初に開ける手順を踏むことは不可能である。
したがって、図７に示したシャッター開閉検知用センサのマグネット１０６と、リードスイッチ又は各種磁気素子などの磁気検知素子との組合せだけで構成されるものに換えて、引戸の開閉状態を検知するセンサと、シャッターの開閉状態を検知するセンサとを組み合わせて使用し、上述した開閉手順の違いを判定することが考えられる。例えば、左右に引き違いの引戸の框又は上桟及び／又は下桟にマグネットを取り付け、窓枠に取り付けられたリードスイッチ又は各種磁気素子等の磁気検知素子によってマグネットの磁気を検知して引戸が閉まっているか否かを検出する。そして、引戸が開いている場合には、シャッターの開閉状態を検知するセンサの回路を切り離すなどして、この検知を無効とすれば、引戸からシャッターを開けた際には警報を発することなくシャッターを開けることが可能となる。
【０００９】
しかしながら、このような単純なセンサの組合せ制御だけでは、引戸側、つまり屋内からシャッターを開け、その後に引戸を閉めると、その時点で警報を発することになり、引戸を閉めることができなくなってしまうという課題がある。
【００１０】
上記課題に鑑み、本発明は、シャッター開閉についての監視状態と監視解除状態とを人為的に切り換える必要がなく、監視解除状態でシャッターが開状態で、かつ、開閉手段が閉状態であっても異常状態であると判断されることがない、シャッター開閉自動監視装置を提供することを目的とする。
【課題を解決するための手段】
【００１１】
上記目的を達成するために、本発明のシャッター開閉自動監視装置は、開口部の外側に設けられているシャッターの開閉状態を検知する第１センサと、開口部を開閉する開閉手段の開閉状態を検知する第２センサと、制御部と、を備え、開閉手段の閉状態を上記第２センサが検知し、かつ、シャッターの閉状態を第１センサが検知したときに、制御部が、第１センサによるシャッター開閉状態の自動監視状態に設定し、シャッター開閉自動監視状態において、第２センサが開閉手段の開状態を検知したときに、制御部が、シャッター開閉自動監視状態を解除し、シャッター開閉自動監視解除状態に移行させることを特徴とする。
上記構成において、好ましくは、第１センサは、シャッターが閉状態ではオフ状態であり、シャッターが閉状態から開状態となる開動作をするときにオン状態となる機能を備え、第２センサは、開閉手段が開状態ではオフ状態であり、開閉手段が開状態から閉状態となるときにオン状態となる機能を備える。
上記構成によれば、シャッター開閉についての監視状態と監視解除状態とを人為的に切り換える必要がないとともに、シャッター開閉監視解除状態において、シャッターが開状態で、引戸などの開閉手段が閉状態であっても、異常が発生していると判断されることもない。
【００１２】
上記制御部は、好ましくは、第１センサのスイッチ機能によるスイッチと、第２センサのスイッチ機能によるスイッチと、リレー手段と、リレー手段への通電によりオフ状態からオン状態に遷移してオン状態を維持するリレー手段接点と、リレー手段接点のオン状態をオフ状態に解除するリセットスイッチと、電源と、を含み、第１センサのスイッチと第２センサのスイッチとの直列接続が、リレー接点とリセットスイッチとの直列接続に対して並列接続され、並列接続の一端がリレー手段の一端に接続され、並列接続の他端が電源の一端に接続され、リレー手段の他端が電源の他端に接続される回路構成を有している。上記構成によれば、制御部が、第１及び第２センサのスイッチ機能、接点を含むリレー手段、及びリセットスイッチにより単純な回路構成で実現される。このため、シャッター開閉自動監視装置を低コストで製造することができる。
【００１３】
また、好ましくは、制御部がシャッター開閉自動監視状態で第１センサによりシャッターの開状態を検知したときに、警報を発報する警報手段を備える。この警報手段は、好ましくはリレー手段に並列接続されている。この構成によれば、警報手段を備えることで、監視者に警報を出したりまた侵入者を威嚇することができる。これにより、シャッター開閉自動監視装置を、シャッター開閉自動監視警報装置としても構成することができる。
【００１４】
また、好ましくは、第１センサは、マグネットと磁気検知素子とからなる対を少なくとも１対以上含む磁気検出センサであり、磁気検知素子が、シャッターの閉状態でマグネットの磁界を検知せず、シャッターの開動作でマグネットの磁界を検知する位置に配置される。
好ましくは、前記第２センサは、マグネットと磁気検知素子とからなる対を少なくとも１対以上含む磁気検出センサであり、磁気検知素子が、開閉手段の閉状態でマグネットの磁界を検知する位置に配置される。
マグネットは、好ましくは開閉手段側に配置され、磁気検知素子は開閉手段の外側に配置される。或いは、マグネットが開閉手段側に配置され、マグネットと対となる磁気検知素子が、開閉手段のマグネットとは異なる位置に設けられたセンサユニット内に配置され、開閉部の閉状態で、第２センサの前記マグネットの磁界が磁気検知素子で検知されるように、マグネットと磁気検知素子とがそれぞれ配置されてもよい。
上記構成によれば、第１及び第２センサを構成するマグネット及び磁気検知素子対を、好ましい位置に配置することができ、容易に制御部を構成することができる。
【発明の効果】
【００１５】
本発明のシャッター開閉自動監視装置によれば、シャッター開閉の監視状態と監視解除状態の切換えを意識することなしに、居住者がシャッターを開けても警報を発することはなく、泥棒などの外部からの侵入者がシャッターを外側からこじ開けた場合にだけ警報を発報することができ、居住者の不注意による誤警報の発生を軽減することができる。
さらに、警報発報部を備えているので、従来のように受信機を介することなく、警報発報が可能となり、利便性の高いスタンドアロン型のシャッター開閉自動監視装置を実現できる。
【発明を実施するための最良の形態】
【００１６】
以下、図面を参照して本発明を実施するための最良の形態を説明する。なお、同一又は実質的に同一の部材には同一の符号を付す。
図１は本発明のシャッター開閉自動監視装置の取付形態を示した側断面図であり、図２は図１のＡ−Ａ線に沿う断面図である。
本発明のシャッター開閉自動監視装置１０は、遮断手段としてのシャッター１０５の開閉状態を検知する第１センサ１１と、開閉手段としての引戸１０２の開閉状態を検知する第２センサ１２と、第１センサ１１及び第２センサ１２との検出結果に応じてシャッター開閉監視状態とシャッター開閉監視解除状態とを自動で切り換えて制御する制御部１３とを備え、遮断手段の開閉を自動で監視する装置である。図では、引戸１０２及びシャッター１０５が閉まった状態を示している。
ここで、開口部とは、人の出入りや採光または通風の目的で、建物や船舶などの構造物の壁などに設けた開口部であり、開閉手段とは、この開口部を開閉するために配設される扉、アルミサッシ硝子戸などの引戸などである。また、遮断手段は、例えば、シャッターであり、侵入防止、盗難防止、防寒などの目的のために、引戸などの開閉手段を有する開口部の外側に設けられている。遮断手段は、シャッターに限らず自動扉や、引戸の外側に設けられる雨戸などでもよい。このため、本発明のシャッター開閉自動監視装置は、上記の窓シャッター開閉監視装置などにも適用できる。
【００１７】
本例では、上下動するシャッター１０５が引戸１０２の外側に設けられている。そして、２枚の引戸１０２が基台１０１のレール１０３上に可動可能に載置されている。
【００１８】
第１センサ１１は、磁気検出センサなどを用いることができる。この第１磁気検出センサ１１は、第１マグネット１１ａと、第１マグネット１１ａからの磁界を検知する第１磁気検知素子１１ｂと、の対で構成される。第１磁気検出センサ１１は、さらに、第１磁気検出センサ１１ｂの検知に応じてオン、オフするスイッチ（図示せず）などを含んで構成されている。
【００１９】
第１マグネット１１ａがシャッターの下端部にある下枠１０５ａに取り付けられ、第１磁気検知素子１１ｂがシャッター１０５の外部の対向するセンサユニット１４に配置されている。このように、シャッター１０５が全閉の状態では、第１磁気検知素子１１ｂは第１マグネット１１ａの位置より上方で、シャッター１０５に対向するように配置されているので、第１磁気検知素子１１ｂが第１マグネット１１ａからの磁界を検知しない、すなわち、オフ状態となる。
一方、シャッター１０５が上方へ移動、即ち開けた際には、第１磁気検知素子１１ｂが第１マグネット１１ａからの磁界を検知して、オン状態となる。
なお、図では、第１センサとして、磁気検出センサ１１の第１マグネット１１ａ及び第１磁気検知素子１１ｂを１対として示している。シャッター１０５の枚数などの設置状態に応じて磁気検出センサ１１を複数個用いてもよい。
【００２０】
第２センサ１２は、磁気検出センサなどを用いることができる。この第２磁気検出センサ１２は、マグネット１２ａ，１２ｃと、マグネット１２ａ，１２ｃからの磁界を検知する磁気検知素子１２ｂ，１２ｄとからなる対を少なくとも１対以上含む磁気検出センサである。さらに、磁気検出素子の検知に応じてオン、オフするスイッチ（図示せず）などを含んで構成されている。
【００２１】
第２及び第３マグネット１２ａ，１２ｃは、それぞれ引戸の下枠１０２ａ，１０２ａに内設されている。一方、第２及び第３磁気検知素子１２ｂ，１２ｄは、レール１０３の下側外部に設けられているセンサユニット１４に配設されている。このため、引戸１０２を全閉した状態で、第２及び第３磁気検知素子１２ｂ，１２ｄは、第２及び第３マグネット１２ａ，１２ｃの磁気を検出しオン状態となり、引戸１０２が開くと、磁気が検知されなくなりオフ状態となる。
【００２２】
次に、本発明のシャッター開閉自動監視装置の制御部について説明する。
図３は本発明のシャッター開閉自動監視装置の制御部の回路構成を示す回路図である。図において、制御部１３の点線で囲った領域は、センサユニット１４内の配線を示している。第１及び第２センサ１１，１２が直列接続されている。第２センサは２対のセンサからなっている。この直列接続の一端である第１センサ１１の接点が、警報手段としてのブザー１５とリレーのリレーコイル１６との並列接続回路の一端に接続されている。そして、ブザー１５及びリレーコイル１６からなる並列接続回路の他端と、第２センサ１２の接点とに、電源１７が接続されて、電圧が印加される。さらに、上記第１センサ１１と第２センサ１２とは直列接続の両端部に、上記リレーコイル１６と連動するリレー接点１８とリセットスイッチ１９との直列接続回路が、並列接続されている。
ここで、制御部のリレー１６及びその接点１８やリセットスイッチ１９、ブザー１５などは、半導体によるトランジスタ、集積回路（ＩＣ）などを組み合わせた電子回路を用いてもよい。
【００２３】
上記第１及び第２センサ１１，１２は、磁気検出センサなどを用いることができ、ここでは、上記図１で説明した磁気検出センサを用いるものとする。第１磁気検出センサ１１において、第１磁気検知素子１１ｂが、第１マグネット１１ａからの磁界を検知していないときはオフとなり、これらのマグネット１１ａからの磁界を検知するとオンになるようにスイッチング状態が設定されることになる。この第１磁気検出センサ１１は、上記スイッチ機能を備えるとともに、スイッチとなる接点を有している。
【００２４】
第２磁気検出センサ１２において、磁気検知素子及びマグネットの間の配置関係から、第２及び第３磁気検知素子１２ｂ，１２ｄが、第２及び第３マグネット１２ａ，１２ｃからの磁界を検知していないときはオフとなり、これらのマグネットからの磁界を検知するとオンになるようにスイッチング機能を備えている。さらに、第２磁気検出センサ１２は、上記スイッチ機能を備えるとともに、スイッチとなる接点を有している。
【００２５】
上記ブザー１５は、１つだけではなく複数備えてもよい。例えば、センサユニット１４内に設ければ、侵入者を威嚇することができる。また、引戸から離れた使用者側にもブザー１５を設けてもよい。ここで、警報手段１５として、ブザーのように威嚇音を発するものの他、フラッシュライトのように警報を光で発するものでもよい。
【００２６】
上記電源１７は、商用電源又は電池などの直流電源を用いることができる。直流電源の場合には、蓄電池を備えた無停電源機能を備えた電源でもよい。この場合には、停電でも動作する。
【００２７】
以上のように本発明のシャッター開閉監視装置１０は構成されており、次のように動作する。
先ず、第１の初期状態として、図１及び図２に示したように、２枚の引戸１０２が全閉されており、かつ、シャッター１０５が全閉されているとする。この状態では、第１センサ１１のスイッチ機能はオフ状態、第２センサ１２のスイッチ機能はオン状態である。
【００２８】
いま、屋外の外部から建物内部への侵入者が、シャッター１０５をこじ開けて、シャッター１０５が上方（図１の矢印の方向）へ移動したとする。この際、第１マグネット１１ａが、第１磁気検知素子１１ｂの近傍を通過し、第１磁気検知素子１１ｂが第１マグネット１１ａからの磁界を検知する。この磁界検知により、第１磁気検出センサ１１のスイッチ機能がオン（クローズ）状態となる。これにより、第１及び第２の磁気検出センサ１１，１２は全てオン状態となり、電源１７からの電圧がブザー１５に印加される。このようにしてブザー１５が鳴動すると共に、リレーコイル１６も通電されているので、リレー接点１８がオン（クローズ）状態となる。
【００２９】
次に、シャッター１０５が上方向に開くと、第１マグネット１１ａは第１磁気検知素子１１ｂから遠ざかる。このため、第１磁気検知素子１１ｂは、第１マグネット１１ａからの磁界を検知しなくなり、磁気検出センサ１１がオフとなる。この際、リレーコイル１６はクローズしたリレー接点１８を介して通電され続けるので、リレー接点１８の状態は、ラッチ動作により自己保持されることになり、ブザー１５は鳴動を継続する。
これにより、第１磁気検知素子１１ｂが第１マグネット１１ａによる磁界を検知しなくなっても、ブザー１５が鳴動し続けるので、シャッター１０５が侵入者により開けられたことを検知して、ブザー１５で威嚇することができる。この際、ブザー１５の鳴動を停止させるには、リセットスイッチ１９を一旦オープン状態にして、リレー接点１８の自己保持状態を解除するなどにより実現できる。
【００３０】
次に、第２の初期状態として、シャッター１０５及び引戸１０２において、最初に引戸１０２を屋内から開放し、そして、シャッター１０５を上げる場合について説明する。
居住者は、先ず、内側又は外側の引戸１０２を開けるので、引戸の下枠１０２ａ下端部に取り付けられた第２及び第３マグネット１２ａ，１２ｃの少なくとも何れか一方は、引戸１０２，１０２の移動に伴い、引戸１０２の開く方向に移動する（図２に示した矢印方向参照）。このため、引戸１０２，１０２の開閉状態を検知する第２及び第３磁気検知素子１２ｂ，１２ｄの少なくとも一方はオフとなる。この状態でシャッター１０５を開けると、第１マグネット１１ａが、図１の矢印方向に移動する際に、第１磁気検知素子１１ｂの近傍を通過し、第１磁気検知素子１１ｂのスイッチング機能をオン状態とするが、ブザー１５は鳴動しない。
これにより、第１マグネット１１ａの接近で、第１磁気検知素子１１ｂのスイッチ機能はオン状態となるが、第２磁気検知素子１２ｂ又は第３磁気検知素子１２ｄのスイッチ機能の少なくとも一方はオフ（オープン）状態となっているので、ブザー１５やリレーコイル１６に通電され得ないことになる。
【００３１】
次に、この状態から居住者が少なくとも何れかの引戸１０２を閉める場合を説明する。引戸１０２の両方を閉めると、引戸１０２，１０２の開閉状態を検知する第２及び第３の磁気検知素子１２ｂ，１２ｄの両方がオン状態となる。このとき第１マグネット１１ａは既にシャッター１０５の開閉状態を検知する第１磁気検知素子１１ｂの近傍を通過して離れた位置にあるので、第１磁気検知素子１１ｂのスイッチ機能はオフ状態である。よって、ブザー１５やリレーコイル１６への通電は行われない。このため、居住者が、引戸１０２、シャッター１０５を順次開けた後に、引戸１０２を閉めても、ブザー１５が鳴動することはない。これにより、シャッターが開状態で、引戸などの開閉手段が閉状態であっても、異常が発生していると判断されることもない。
【００３２】
本発明のシャッター開閉自動監視装置１０によれば、ブザー鳴動などによる威嚇を警報手段としたスタンダードアローン型のシャッター開閉自動監視装置を構成することができる。さらに、各磁気検知素子１１ｂ，１２ｂ，１２ｄの接点出力、即ち、各端子間の出力を、従来の受信機に接続して、受信機側で、シャッター１０５の開閉の自動監視を行うこともできる。
【００３３】
また、本発明のシャッター開閉監視装置１０によれば、シャッター１０５の開閉を監視する状態と監視しない状態とを人為的に切り換える必要がなく、シャッター１０５の開閉の自動監視をすることができる。
したがって、居住者が監視状態の切り換えを忘れたときの誤動作による警報発報を阻止することができる。そして、侵入者が屋外からシャッター１０５を開けたときだけ、警報手段により警報を発することができる。
また、居住者が屋内側から、順次開閉手段としての引戸１０２を開いて、シャッター１０５を開放した後に引戸１０２を閉めても、警報手段により警報が発生することを防止することができる。
【００３４】
次に、本発明のシャッター開閉監視装置の変形例について説明する。
図４は、本発明のシャッター開閉自動監視装置３０の取付形態の変更例を示した側断面図であり、図５は図４のＢ−Ｂ線に沿う断面図である。
本発明のシャッター開閉自動監視装置３０が、図１及び図２に示したシャッター開閉自動監視装置１０と異なるのは、第２磁気検出センサ１２がマグネット１２ａ及び第２磁気検知素子１２ｂからなる１対のセンサからなること及びセンサユニット３４が引戸１０２の屋外側に配設されていることである。このセンサユニット３４は、引戸の下枠１０２ａと縦枠１０２ｂと交差部近傍、即ち右隅部に取り付けられている。
【００３５】
第１磁気検出センサ１１は、その第１マグネット１１ａがシャッター１０５の下枠１０５ａの屋内側に接着シートなどを用いて取り付けられている。そして、第１磁気検知素子１１ｂは、センサユニット３４内のシャッター１０５と対向する面の内側に配置されている。すなわち、シャッター１０５を全閉した状態では、第１磁気検知素子１１ｂは、第１マグネット１１ａと対向しないように配置されている。
これにより、シャッター１０５を全閉した状態では、第１磁気検知素子１１ｂは、第１マグネット１１ａからの磁界を検知せず、オフ状態である。一方、シャッター１０５が上方に移動し始め（図４の矢印方向参照）、第１磁気検知素子１１ｂは、第１マグネット１１ａからの磁界を検知したときに、オン状態となる。
【００３６】
第２マグネット１２ａが、屋内側の引戸１０２の縦枠１０２ｂ内にセンサユニット３４に対向できる高さに設けられている。そして、第２磁気検知素子１２ｂは、センサユニット３４内に配置されている。そして、引戸１０２，１０２を全閉した状態では、第１磁気検知素子１１ｂは、第１マグネット１１ａと対向する位置に配置されている。
これにより、引戸１０２，１０２を全閉した状態では、第２磁気検知素子１２ｂは、第２マグネット１２ａからの磁界を検知し、オン状態である。一方、一対の引戸１０２，１０２の何れかが僅かにスライドして開いた状態になると、第２マグネット１２ａからの磁界を検知しなくなり、オフ状態となる。
【００３７】
次に、本発明のシャッター開閉自動監視装置３０の回路構成について説明する。
図６は、本発明のシャッター開閉自動監視装置３０の制御部３３の回路構成を示す回路図である。図において、制御部３３の点線で囲った領域は、センサユニット３４内の配線を示している。制御部３３が、シャッター開閉自動監視装置１０の制御部１３と異なるのは、第２センサ１２が第２マグネット１２ａと第２磁気検知素子１２ｂとの一対で構成される点である。他の構成は、制御部１３と同じであるので説明は省略する。制御部３３の回路は、第２センサ１２が１つのセンサである以外は、制御部１３と同様に動作する。
これにより、シャッター開閉自動監視装置３０の制御部３３は、シャッター開閉自動監視装置１０と同様に、シャッター１０５の開閉について自動監視することができる。
【００３８】
本発明のシャッター開閉自動監視装置３０によれば、開口部としての窓部の外側の引戸１０２に、センサユニット３４を取り付け、更に、このセンサユニット３４内に、シャッター開閉状態を検知する第１磁気検知素子１１ｂと、外側及び内側の引戸１０２，１０２の開閉状態を検知する第２磁気検知素子１２ｂと、を備えることにより、シャッター１０５の開閉を自動監視することができる。
【００３９】
以上説明したように、本発明のシャッター開閉自動監視装置によれば、シャッター開閉の監視状態と監視解除状態の切換えを意識することなしに、居住者がシャッターを開けても警報を発することはなく、泥棒などの外部からの侵入者がシャッターを外側からこじ開けた場合にだけ警報を発報することができ、居住者の不注意による誤警報の発生を軽減することができる。
さらに、警報発報部を備えているので、従来のように受信機を介することなく、警報発報が可能となり、利便性の高いスタンドアロン型のシャッター開閉自動監視装置を実現することができる。
【図面の簡単な説明】
【００４０】
【図１】本発明のシャッター開閉自動監視装置の取付形態を示す側断面図である。
【図２】図１のＡ−Ａ線に沿う断面図である。
【図３】本発明のシャッター開閉自動監視装置の制御部の回路構成を示す回路図である。
【図４】本発明のシャッター開閉自動監視装置の取付形態の変更例を示した側断面図である。
【図５】図４のＢ−Ｂ線に沿う断面図である。
【図６】本発明のシャッター開閉自動監視装置の制御部の回路構成を示す回路図である。
【図７】従来のシャッター開閉監視用センサの取付形態を示した断面図である。
【符号の説明】
【００４１】
１０，３０：シャッター開閉自動監視装置
１１：第１センサ（第１磁気検出センサ）
１１ａ：第１マグネット
１１ｂ：第１磁気検知素子
１２：第２センサ（第２磁気検出センサ）
１２ａ：第２マグネット
１２ｂ：第２磁気検知素子
１２ｃ：第３マグネット
１２ｄ：第３磁気検知素子
１３，３３：制御部
１４，３４：センサユニット
１５：ブザー（警報手段）
１６：リレーコイル（リレー）
１７：電源
１８：リレー接点
１９：リセットスイッチ
１０１：基台
１０２：引戸（開閉手段）
１０２ａ，１０５ａ：下枠
１０２ｂ：縦枠
１０３：レール
１０４：凸部
１０５：シャッター
【図１】
2006045862.tif 000003
【図２】
2006045862.tif 000004
【図３】
2006045862.tif 000005
【図４】
2006045862.tif 000006
【図５】
2006045862.tif 000007
【図６】
2006045862.tif 000008
【図７】
2006045862.tif 000009